【事件の表示】
　平成　４年特許願第２３０１３６号「電子音響装置のゆらぎ波形発生装置及びゆらぎ波形発生方法」拒絶査定に対する審判事件〔平成　６年　３月１８日出願公開、特開平　６−　７５５７０、請求項の数（６）〕について、次のとおり審決する。
【結　論】
　原査定を取り消す。
　本願の発明は、特許すべきものとする。
【理　由】
第１　本願発明
　本願は、平成４年８月２８日の出願であって、平成１１年１２月１４日、平成１２年３月２１日、平成１４年６月２０日付け手続補正書において補正されたものであるところ、その請求項１乃至６に係る発明（以下「本願発明」という。）は、次に掲げるものである。
「【請求項１】楽音の発生を指示する手段と、
  この指示に応じて、楽音を発生する手段と、
  この発生される楽音のエンベロープ波形データ及び音量データを発生する手段と、
  この発生されたエンベロープ波形データまたは音量データにゆらぎを付加するためのゆらぎデータを記憶するゆらぎデータ記憶手段と、
  上記エンベロープ波形データの進行に応じて、このゆらぎデータ記憶手段より上記ゆらぎデータを読み出し、このゆらぎデータの読み出し途中において、当該ゆらぎデータの繰り返し区間を繰り返して読み出す手段であって、この繰り返し区間は上記エンベロープ波形データの特定のフェーズに対応しており、
  このようにして読み出されたゆらぎデータを、上記発生されたエンベロープ波形データまたは音量データに合成する手段とを備えたことを特徴とする電子音響装置のゆらぎ波形発生装置。
【請求項２】楽音の発生を指示に応じて、楽音を発生させ、
  この発生される楽音のエンベロープ波形データ及び音量データを発生させ、
  この発生されたエンベロープ波形データまたは音量データにゆらぎを付加するためのゆらぎデータを記憶するゆらぎデータ記憶手段に対して、
  上記エンベロープ波形データの進行に応じて、このゆらぎデータ記憶手段より上記ゆらぎデータを読み出し、このゆらぎデータの読み出し途中において、当該ゆらぎデータの繰り返し区間を繰り返して読み出しさせることであって、この繰り返し区間は上記エンベロープ波形データの特定のフェーズに対応しており、
  このようにして読み出されたゆらぎデータを、上記発生されたエンベロープ波形データまたは音量データに合成させることを特徴とする電子音響装置のゆらぎ波形発生方法。
【請求項３】楽音の発生を指示する手段と、
  この指示に応じて、楽音を発生する手段と、
  この発生される楽音のエンベロープ波形データを発生する手段と、
  この発生されたエンベロープ波形データにゆらぎを付加するための複数のゆらぎデータを記憶するゆらぎデータ記憶手段と、
  音色または発音操作の速さ／強さを指定する手段と、
  この指定された音色または発音操作の速さ／強さに応じて、上記エンベロープ波形データを変化させる手段と、
  上記音色または発音操作の速さ／強さに応じて、上記ゆらぎデータ記憶手段の複数の異なるゆらぎデータから少なくとも１つのゆらぎデータを選択し、この選択されたゆらぎデータを読み出す手段と、
  このゆらぎデータの読み出し途中において、当該ゆらぎデータの繰り返し区間を繰り返して読み出す手段と、
  上記音色または発音操作の速さ／強さに応じて、このゆらぎデータの繰り返し区間の先頭または末尾を変更する手段と、
  このようにして読み出されたゆらぎデータを、上記発生されたエンベロープ波形データに合成する手段とを備えたことを特徴とする電子音響装置のゆらぎ波形発生装置。
【請求項４】楽音の発生を指示に応じて、楽音を発生させ、
  この発生される楽音のエンベロープ波形データを発生させ、
  この発生されたエンベロープ波形データにゆらぎを付加するための複数のゆらぎデータを記憶するゆらぎデータ記憶手段に対して、
  指定された音色または発音操作の速さ／強さに応じて、上記エンベロープ波形データを変化させ、
  上記音色または発音操作の速さ／強さに応じて、上記ゆらぎデータ記憶手段の複数の異なるゆらぎデータから少なくとも１つのゆらぎデータを選択し、この選択されたゆらぎデータを読み出しさせ、
  このゆらぎデータの読み出し途中において、当該ゆらぎデータの繰り返し区間を繰り返して読み出しさせ、
  上記音色または発音操作の速さ／強さに応じて、このゆらぎデータの繰り返し区間の先頭または末尾を変更させ、
  このようにして読み出されたゆらぎデータを、上記発生されたエンベロープ波形データに合成させることを特徴とする電子音響装置のゆらぎ波形発生方法。
【請求項５】上記エンベロープ波形データのアタック、ディケイ、サスティンまたはリリースのフェーズの切り換えに応じて、上記読み出されるゆらぎデータが順次切り換えられ、
  このエンベロープ波形データのフェーズが切り換えられると、このゆらぎデータの読み出しが途中であっても、切り換えられたフェーズに対応した新たなゆらぎデータの読み出しにジャンプされ、
  このゆらぎデータの繰り返し区間は、このエンベロープ波形データのディケイフェーズに対応していることを特徴とする請求項１または３記載の電子音響装置のゆらぎ波形発生装置。
【請求項６】上記音色または発音操作の速さ／強さの指定に応じて、上記エンベロープ波形データの各フェーズのスピードデータまたは目標データが切り換えられ、
  このゆらぎデータは、生成されたエンベロープ波形データに合成されたり、このエンベロープ波形データのスピードデータまたは目標データに合成されたり、
または、このスピードデータまたは目標データの選択データに合成されることを特徴とする請求項１または３記載の電子音響装置のゆらぎ波形発生装置。」
　
第２　刊行物発明、及び、本願発明と刊行物発明との対比・検討
１　刊行物
　当審の拒絶理由で引用した刊行物１ないし２は次に掲げるものである。
　　刊行物１：特開平３―２１９２９４号公報
　　刊行物２：特開昭６１―２０９４９６号公報
（１）刊行物１には、エンベロープ波形データまたは音量データにゆらぎを付加することが記載されている。
（２）刊行物２には、複数の変動ピッチデータ（ゆらぎデータ）を、音高、音域、音色に応じて選択することが記載されている。
　
２　本願発明と刊行物発明との対比・検討
　本願発明と刊行物１ないし２の発明とを対比・検討すると、刊行物１ないし２の発明は、本願発明における次に掲げる主要な事項を具備していないし、刊行物１ないし２には、この主要な事項を示唆する記載もなされていない。
「エンベロープ波形データの進行に応じて、ゆらぎデータの読み出し途中において、当該ゆらぎデータの繰り返し区間を繰り返して読み出す手段であって、この繰り返し区間は上記エンベロープ波形データの特定のフェーズに対応して」いる点（請求項１，２，５，６）
「指定された音色または発音操作の速さ／強さに応じて、エンベロープ波形データを変化させ、ゆらぎデータの読み出し途中において、当該ゆらぎデータの繰り返し区間を繰り返して読み出しさせ、上記音色または発音操作の速さ／強さに応じて、このゆらぎデータの繰り返し区間の先頭または末尾を変更させ」る点（請求項３，４）
　そして、上記主要な事項により、本願発明は、明細書記載の顕著な効果を奏するものである。
　したがって、本願発明は、刊行物１、２の発明に基いて当業者が容易に発明をすることができたものということができない。
　
第３　むすび
　以上、本願発明は、刊行物に記載された発明に基いて当業者が容易に発明をすることができたものということができない。
　また、他に本願発明に係る特許を拒絶する理由を発見しない。
　よって、結論のとおり審決する。